(57)【特許請求の範囲】
【請求項１】
３０〜４０質量％の黒糖水溶液と、前記黒糖水溶液１００質量部に対し、
１〜３質量部のサッカロミセス属の酵母と、
２〜４質量部のレバウディオサイドＡと、
を含み、
前記サッカロミセス属の酵母が発酵している状態にあることを特徴とするトマトの糖度向上液肥。
【請求項２】
前記サッカロミセス属の酵母が、サッカロミセス・セレビシエ、サッカロミセス・バヤヌス、サッカロミセス・カールスベルゲンシス、サッカロミセス・パストリアヌス、サッカロミセス・サケ、サッカロミセス・エリプソイディウスの群から選ばれる１つまたは複数であることを特徴とする請求項１に記載のトマトの糖度向上液肥。
【請求項３】
前記サッカロミセス属の酵母がパン発酵酵母、ビール酵母及びワイン酵母のいずれかであることを特徴とする請求項１又は２に記載のトマトの糖度向上液肥。
【請求項４】
前記トマトの糖度向上液肥が、さらに、前記黒糖水溶液１００質量部に対し、パパイヤ、パイナップル、マンゴー、メロン、いちじく、及びキウイフルーツ含む果実のそれぞれを搾汁して得られたプロテアーゼ活性果汁のうちの少なくとも１種以上を１〜３質量部含むことを特徴とする請求項１〜３のいずれか１項に記載のトマトの糖度向上液肥。
【請求項５】
前記トマトの糖度向上液肥が、さらに、前記黒糖水溶液１００質量部に対し、イワシ、マグロ、カツオ、アジ、及びサバの魚エキスのうちの少なくとも１種以上を１〜３質量部含むことを特徴とする請求項１〜４のいずれか１項に記載のトマトの糖度向上液肥。
【請求項６】
前記トマトの糖度向上液肥が、さらに、トマトの新葉２０〜３０質量部を含むことを特徴とする請求項１〜５のいずれか１項に記載のトマトの糖度向上液肥。
【請求項７】
前記トマトの糖度向上液肥を原液として、５００〜１０００倍に水で希釈した希釈液肥において、前記サッカロミセス属の酵母が発酵状態にあることを特徴とする請求項１〜６のいずれか１項に記載のトマトの糖度向上液肥。
【請求項８】
（ａ）黒糖を水に加えて３０〜４０質量％黒糖水溶液を得る工程と、
（ｂ）前記黒糖水溶液１００質量部に対し、１〜３質量部のサッカロミセス属の酵母を加える工程と、
（ｃ）撹拌して前記サッカロミセス属の酵母を発酵させる工程と、
（ｄ）前記サッカロミセス属の酵母が発酵している期間内に、２〜４質量部のレバウディオサイドＡを加える工程と、
を含むことを特徴とするトマトの糖度向上液肥の製造方法。
【請求項９】
前記サッカロミセス属の酵母が、サッカロミセス・セレビシエ、サッカロミセス・バヤヌス、サッカロミセス・カールスベルゲンシス、サッカロミセス・パストリアヌス、サッカロミセス・サケ、サッカロミセス・エリプソイディウスの群から選ばれる１つまたは複数であることを特徴とする請求項８に記載のトマトの糖度向上液肥。
【請求項１０】
前記サッカロミセス属の酵母がパン発酵酵母、ビール酵母及びワイン酵母のいずれかであることを特徴とする請求項８又は９に記載のトマトの糖度向上液肥の製造方法。
【請求項１１】
前記（ｂ）の工程において、前記黒糖水溶液１００体積部に対し、パパイヤ、パイナップル、マンゴー、メロン、いちじく、及びキウイフルーツ含む果実のそれぞれを搾汁して得られたプロテアーゼ活性果汁のうちの少なくとも１種以上を５〜１０体積部さらに加えることを特徴とする請求項８〜１０のいずれか１項に記載のトマトの糖度向上液肥の製造方法。
【請求項１２】
さらに、（ｅ）前記サッカロミセス属の酵母が発酵している期間内に、前記黒糖水溶液１００体積部に対し、イワシ、マグロ、カツオ、アジ、及びサバの魚エキスのうちの少なくとも１種以上を３０〜６０体積部を加える工程と、
を含むことを特徴とする請求項８〜１１のいずれか１項に記載のトマトの糖度向上液肥の製造方法。
【請求項１３】
さらに、（ｆ）前記サッカロミセス属の酵母が発酵している期間内に、前記黒糖水溶液１００質量部に対し、トマトの新葉２０〜３０質量部を添加して混合してろ過する工程と、
を含むことを特徴とする請求項８〜１２のいずれか１項に記載のトマトの糖度向上液肥の製造方法。
【請求項１４】
さらに、（ｇ）前記トマトの糖度向上液肥を原液とし、前記原液のサッカロミセス属の酵母が発酵している期間内に、前記原液を水で５００〜１０００倍に希釈して希釈液肥を得る工程と、
（ｈ）前記希釈液肥のサッカロミセス属の酵母が発酵している期間内に、前記希釈液肥をトマトの苗を定植した容器内の培地に散布または添加する工程と、
を含むことを特徴とする請求項８〜１３のいずれか１項に記載のトマトの糖度向上液肥の製造方法によって製造されたトマトの糖度向上液肥の使用方法。
【発明の詳細な説明】
【技術分野】
【０００１】
本発明は、トマトの糖度向上に関する。
【背景技術】
【０００２】
トマトの糖度を向上させる方法として、容器に充填した培地で水と肥料を極限まで減らしてトマトの苗を栽培する方法が知られている。（例えば、特許文献１参照。）しかし、この方法で収穫するトマトは水分が少なく、トマトの成分が凝縮されているために甘く感じるのであって、実際にトマトの糖度が上昇しているわけではない。
【０００３】
他に、トマトの糖度上昇溶液として、黒糖水溶液を用いる方法が知られている。（例えば、特許文献２参照。）しかし、黒糖の糖分の主成分である蔗糖はそのままではトマトの毛細根から吸収されにくいので、トマトの糖度を上昇させるためには、果糖、砂糖を精製したサッカロ、ブドウ糖等の他の糖分を相当量添加する必要があった。
【先行技術文献】
【特許文献】
【０００４】
【特許文献１】特許第３５９８２６３号公報
【特許文献２】特開２００２−３４５３４０号公報
【発明の概要】
【発明が解決しようとする課題】
【０００５】
特許文献１に記載の容器に充填した培地で水と肥料を極限まで減らしてトマトの苗を栽培する方法では、人間の感覚で収穫したトマトが甘いと感じるので、実際にトマトの糖度を定量的に上昇させることができないという問題があった。
【０００６】
また、特許文献２に記載のように、黒糖を水に溶解した黒糖水溶液のままでは、黒糖の糖分の主成分である蔗糖は分解せず、根から吸収されにくいので、黒糖はトマトの糖度上昇にほとんど寄与しないため、トマトの糖度を上昇させるという目的に対しては、黒糖を単に水に添加するだけでは、黒糖の能力を活用できないという問題があった。
【０００７】
本発明は上記問題点を鑑みなされたものであって、トマトの糖度を上昇させるための、環境汚染のない、黒糖を有効に活用したトマトの糖度向上液肥、その製造方法及びトマトの糖度を向上させる方法を提供することを目的とする。
【課題を解決するための手段】
【０００８】
このような目的は、下記（１）〜（１４）の本発明により達成される。
【０００９】
（１）３０〜４０質量％の黒糖水溶液と、黒糖水溶液１００質量部に対し、１〜３質量部のサッカロミセス属の酵母と、２〜４質量部のレバウディオサイドＡと、を含み、サッカロミセス属の酵母が発酵している状態にあることを特徴とするトマトの糖度向上液肥。
【００１０】
（２）サッカロミセス属の酵母が、サッカロミセス・セレビシエ、サッカロミセス・バヤヌス、サッカロミセス・カールスベルゲンシス、サッカロミセス・パストリアヌス、サッカロミセス・サケ、サッカロミセス・エリプソイディウスの群から選ばれる１つまたは複数であることを特徴とする（１）に記載のトマトの糖度向上液肥。
【００１１】
（３）サッカロミセス属の酵母がパン発酵酵母、ビール酵母及びワイン酵母のいずれかであることを特徴とする（１）又は（２）に記載のトマトの糖度向上液肥。
【００１２】
（４）トマトの糖度向上液肥が、さらに、黒糖水溶液１００質量部に対し、パパイヤ、パイナップル、マンゴー、メロン、いちじく、及びキウイフルーツ含む果実のそれぞれを搾汁して得られたプロテアーゼ活性果汁のうちの少なくとも１種以上を１〜３質量部含むことを特徴とする（１）〜（３）のいずれかに記載のトマトの糖度向上液肥。
【００１３】
（５）トマトの糖度向上液肥が、さらに、黒糖水溶液１００質量部に対し、イワシ、マグロ、カツオ、アジ、及びサバの魚エキスのうちの少なくとも１種以上を１〜３質量部含むことを特徴とする（１）〜（４）のいずれかにに記載のトマトの糖度向上液肥。
【００１４】
（６）トマトの糖度向上液肥が、さらに、トマトの新葉２０〜３０質量部を含むことを特徴とする（１）〜（５）のいずれかに記載のトマトの糖度向上液肥。
【００１５】
（７）トマトの糖度向上液肥を原液として、５００〜１０００倍に水で希釈した希釈液肥において、ビール酵母が発酵状態にあることを特徴とする（１）〜（６）のいずれかに記載のトマトの糖度向上液肥。
【００１６】
（８）（ａ）黒糖を水に加えて３０〜４０質量％黒糖水溶液を得る工程と、（ｂ）黒糖水溶液１００質量部に対し、１〜３質量部のサッカロミセス属の酵母を加える工程と、（ｃ）撹拌してサッカロミセス属の酵母を発酵させる工程と、（ｄ）サッカロミセス属の酵母が発酵している期間内に、２〜４質量部のレバウディオサイドＡを加える工程と、を含むことを特徴とするトマトの糖度向上液肥の製造方法。
【００１７】
（９）サッカロミセス属の酵母が、サッカロミセス・セレビシエ、サッカロミセス・バヤヌス、サッカロミセス・カールスベルゲンシス、サッカロミセス・パストリアヌス、サッカロミセス・サケ、サッカロミセス・エリプソイディウスの群から選ばれる１つまたは複数であることを特徴とする（８）に記載のトマトの糖度向上液肥。
【００１８】
（１０）サッカロミセス属の酵母がパン発酵酵母、ビール酵母及びワイン酵母のいずれかであることを特徴とする（８）又は（９）に記載のトマトの糖度向上液肥の製造方法。
【００１９】
（１１）（ｂ）の工程において、黒糖水溶液１００体積部に対し、パパイヤ、パイナップル、マンゴー、メロン、いちじく、及びキウイフルーツ含む果実のそれぞれを搾汁して得られたプロテアーゼ活性果汁のうちの少なくとも１種以上を５〜１０体積部さらに加えることを特徴とする（８）〜（１０）のいずれかに記載のトマトの糖度向上液肥の製造方法。
【００２０】
（１２）さらに、（ｅ）サッカロミセス属の酵母が発酵している期間内に、黒糖水溶液１００体積部に対し、イワシ、マグロ、カツオ、アジ、及びサバの魚エキスのうちの少なくとも１種以上を３０〜６０体積部を加える工程と、を含むことを特徴とする（８）〜（１１）のいずれかに記載のトマトの糖度向上液肥の製造方法。
【００２１】
（１３）さらに、（ｆ）サッカロミセス属の酵母が発酵している期間内に、黒糖水溶液１００質量部に対し、トマトの新葉２０〜３０質量部を添加して混合してろ過する工程と、を含むことを特徴とする（８）〜（１２）のいずれかに記載のトマトの糖度向上液肥の製造方法。
【００２２】
（１４）さらに、（ｇ）トマトの糖度向上液肥を原液とし、原液のサッカロミセス属の酵母が発酵している期間内に、原液を水で５００〜１０００倍に希釈して希釈液肥を得る工程と、（ｈ）希釈液肥のサッカロミセス属の酵母が発酵している期間内に、希釈液肥をトマトの苗を定植した容器内の培地に散布または添加する工程と、を含むことを特徴とする（８）〜（１３）のいずれかに記載のトマトの糖度向上液肥の製造方法によって製造されたトマトの糖度向上液肥の使用方法。
【００２３】
本発明に係るトマトの糖度向上液肥は化学肥料を含まないので、環境に対する悪影響はない。
【発明の効果】
【００２４】
本発明によれば、トマトの糖度を上昇させるための、環境汚染のない、黒糖を有効に活用したトマトの糖度向上液肥、その製造方法及びその使用方法を提供することができる。
【発明を実施するための形態】
【００２５】
以下、本発明を実施するための形態（以下、「実施形態」という。）について詳細に説明する。以下に示す実施形態は、本発明の技術的思想を具体化するための物や方法を例示するものであって、本発明の技術的思想は、トマトに限定せず、野菜類一般に適用可能であり、また、構成材料の種類、構成条件等を下記のものに特定するものでない。本発明の技術的思想は、特許請求の範囲に記載された技術的範囲内において、種々の変更を加えることができる。
【００２６】
（第１実施形態）
本発明の第１の実施形態におけるトマトの糖度向上液肥は、３０〜４０質量％の黒糖水溶液と、その黒糖水溶液１００質量部に対し、１〜３質量部のサッカロミセス属の酵母と、２〜４質量部のレバウディオサイドＡと、を含み、サッカロミセス属の酵母が発酵している状態にあるものである。
【００２７】
酵母は、出芽によって増殖する単細胞の子嚢菌類に対する総称で、増殖するときに、菌体内で、発酵肥料として有用な種々の物質を生成し、その一部を菌体外に分泌する。醸造に利用されている酵母は、主としてサッカロミセス属の酵母であり、サッカロミセス・セレビシエは、アルコール発酵力が強く、パンの発酵のほか、ビールやワイン等、酒類全般の醸造に利用される。ビール酵母には、サッカロミセス・セレビシエのほか、サッカロミセス・パストリアヌス、サッカロミセス・バヤヌス、サッカロミセス・カールスベルゲンシスも含まれる。サッカロミセス・サケは低温下での発酵力が強く、清酒酵母といわれる。サッカロミセス・エリプソイディウスは、果実の表面に生息している酵母で、ワインの醸造に利用される。
【００２８】
黒糖には、主成分としての蔗糖の他に、Ｃａ、Ｐ、Ｆｅ、Ｎａ、Ｋ、Ｍｇ等のミネラル分、少量のたんぱく質、ビタミンＢ群等が含まれる。これらビタミンは発酵時に補酵素として作用し、ミネラルはたんぱく質と結合して錯体を形成する。
【００２９】
黒糖水溶液にサッカロミセス属の酵母を加えて、撹拌して酸素を十分に供給すると、アルコールを生成することなく、サッカロミセス属の酵母の酵母菌は、たんぱく質分解黒糖水溶液中に存在する有害細菌、有機物、空気中の微量物質を餌とし、急激に増殖して種々の物質へと分解生成する。黒糖の糖分の主成分である二糖の蔗糖は、単糖のブドウ糖と果糖を分解生成し、さらに、有機物は良質な各種アミノ酸、ビタミン、核酸、ミネラル、ホルモン、脂肪酸等へ分解生成する。
【００３０】
しかし、黒糖の糖分の主成分である二糖の蔗糖はもとより、サッカロミセス属の酵母の発酵、増殖によって、蔗糖から分解生成した単糖であるブドウ糖と果糖も、トマトの毛細根から容易には吸収されないことが経験的に知られている。再合成された各種アミノ酸、ビタミン、核酸、ミネラル、ホルモン、脂肪酸等は、トマトの毛細根から容易に吸収される。
【００３１】
つまり、黒糖は、トマトの糖度向上に直接的に寄与してはいないのである。
【００３２】
蔗糖の水への溶解度は２５℃で約６７質量％であるが、サッカロミセス属の酵母の酵母菌は黒糖水溶液中では添加量の５００倍以上にも増殖するので、黒糖水溶液へのサッカロミセス属の酵母の添加量は、黒糖水溶液１００質量部に対し、１〜３質量部で十分である。この１〜３質量部のサッカロミセス属の酵母の添加量に対し、黒糖水溶液における黒糖添加量が３０質量％未満であると、発酵期間が短すぎ、黒糖水溶液への黒糖添加量が４０質量％を超えると、全体が発酵するのに時間がかかりすぎる。
【００３３】
本発明の第１実施形態におけるサッカロミセス属の酵母としてパン発酵酵母、ビール酵母及びワイン酵母のいずれかを用いる場合、生きた酵母菌を増殖させるために、乾燥させずに酵母成分を抽出した酵母エキスが好ましい。
【００３４】
土壌中には根腐れなどを引き起す有害細菌である微生物も多く存在するので、これら悪玉微生物に対する殺菌力、制菌力の強い放線菌を増殖させるためには、サッカロミセス属の酵母が発酵している期間内、すなわちサッカロミセス属の酵母の酵母菌が生きて増殖している期間内に希釈液肥を培地又は土壌に施肥することが好ましい。
【００３５】
レバウディオサイドＡは、キク科ステビア属の多年草のステビアの葉から抽出される甘味成分のうちもっとも砂糖に近い上質の甘味を持ち、甘味度は砂糖の４５０倍と言われている。
【００３６】
本発明者らは、サッカロミセス属の酵母によって発酵状態にある黒糖水溶液にレバウディオサイドＡを加えて液肥として用いると、レバウディオサイドＡはトマトの糖度向上に直接的に寄与する、すなわち、レバウディオサイドＡはトマトの毛細根から吸収されやすくなるということを見出した。
【００３７】
トマトの糖度は、市販の糖度計によって測定することができるが、糖時計によって測定したトマトの糖度と人間の舌による甘味は比例しない。すなわち、通常の露地で特に甘味向上の手段を適用せずに栽培されたトマトの糖度は５前後であり、これから糖度が高くなるほど甘く感じるが、糖度が１３を超えると、もはや
人間の舌は、甘味がさらに高まっているとは感じなくなる。
【００３８】
又、トマトの糖度があまり高いと、甘味とは別の人間の感覚である風味の低下が起るので、レバウディオサイドＡの添加量は黒糖水溶液１００質量部に対し、２〜４質量部とするのが好ましい。この添加量の範囲であれば、収穫の全期間に渡って、糖度８〜１３のトマトを収穫することが可能になる。
【００３９】
本発明の第１の実施形態におけるトマトの糖度向上液肥は、さらに、黒糖水溶液１００体積部に対し、パパイヤ、パイナップル、マンゴー、メロン、いちじく、及びキウイフルーツ含む果実のそれぞれを搾汁して得られたプロテアーゼ活性果汁のうちの少なくとも１種以上を５〜１０体積部含むことが好ましい。
【００４０】
プロテアーゼは、たんぱく質を加水分解し、ペプチドというアミノ酸がいくつかつながったものに変える働きを持つ酵素であり、サッカロミセス属の酵母の発酵を促進する作用がある。パパイヤにはパパイン、パイナップルにはブロメリンといったように、それぞれ異なるプロテアーゼが豊富に含まれるが、活性温度の観点から、パパイヤ、パイナップル、マンゴー、メロンの果汁が好ましい。プロテアーゼ活性酵素の添加量が５〜１０体積部であると、トマトの風味の適度な改善効果が得られる。
【００４１】
本発明の第１の実施形態におけるトマトの糖度向上液肥は、さらに、黒糖水溶液１００体積部に対し、イワシ、マグロ、カツオ、アジ、及びサバの魚エキスのうちの少なくとも１種以上を３０〜６０体積部含むことが好ましい。
【００４２】
魚エキスは、魚類を煮て油分や水分を圧搾して除去し、残部を乾燥したもので、約７０質量％の粗たんぱく質を含む。肥料としては、即効性肥料に近い肥効を示し、また、土壌団粒化効果や地力としての残存効果も高い。
【００４３】
魚のエキスには、主成分としての粗たんぱく質の他に、ビタミン、ミネラルが豊富に含まれる。黒糖水溶液に対する魚エキスの添加量が６０体積部を超えると、トマトに魚の臭いが残り、３０体積部未満であるとトマトの風味は改善されない。又、魚エキスの添加量が６０体積部を超えると、トマトの皮の弾力性が強くなりすぎて、歯ざわりが堅くなる傾向が現われる。
【００４４】
本発明の第１の実施形態におけるトマトの糖度向上液肥は、さらに、トマトの新葉２０〜３０質量部を含むことが好ましい。
【００４５】
トマトの新葉には、糖分、有機酸、ホルモン、ビタミン、酵素等の植物活性物質が含まれ、また、強い殺菌力、制菌力を持つ活性素も含まれるので、液肥に含まれるトマトの新葉の成分は、トマトの生育、収量、品質を高め、また、土壌中の悪玉の細菌や微生物の繁殖を阻止する作用をする。
【００４６】
トマトの新葉の添加の効果は２０質量部から認められ、添加量は多いほど良いが、３０質量部未満であれば、特に処理コストが増加する要因とはならない。
【００４７】
本発明の第１実施形態におけるトマトの糖度向上液肥は、５００〜１０００倍に水で希釈して希釈液肥とし、サッカロミセス属の酵母が発酵状態にある期間中に液肥として使用することが好ましい。サッカロミセス属の酵母が発酵状態にある、５００〜１０００倍の希釈液肥を好適な施肥頻度で液肥として使用すると、糖度７〜１３のトマトが収穫される。希釈倍率が５００未満であると、液肥成分の含有量が多いので、少量の希釈液肥で足りるのであるが、培地全体に行き渡り難くなる。希釈倍率が１０００を超えると、施肥回数を増やさなければならなくなる。
【００４８】
（第２実施形態）
本発明の第２実施形態におけるトマトの糖度向上液肥の製造方法は、（ａ）黒糖を水に加えて３０〜４０質量％黒糖水溶液を得る工程と、（ｂ）黒糖水溶液１００質量部に対し、１〜３質量部のサッカロミセス属の酵母を加える工程と、（ｃ）撹拌してサッカロミセス属の酵母を発酵させる工程と、（ｄ）サッカロミセス属の酵母が発酵している期間内に、２〜４質量部のレバウディオサイドＡを加える工程と、を含む。
【００４９】
黒糖の約８０％は蔗糖であり、蔗糖の水への溶解度は２５℃で約６７質量％であるので、（ａ）の工程における３０〜４０質量％黒糖水溶液は室温で容易に得られる。
【００５０】
（ｂ）の工程において、黒糖水溶液に黒糖水溶液１００質量部に対し１〜３質量部のサッカロミセス属の酵母を加え、（ｃ）の工程において、撹拌して酸素を十分に供給すると、アルコールを生成することなく、サッカロミセス属の酵母の酵母菌は、たんぱく質分解黒糖水溶液中に存在する有害細菌、有機物、空気中の微量物質を餌とし、急激に増殖して種々の物質へと分解生成する。黒糖の糖分の主成分である二糖の蔗糖は、単糖のブドウ糖と果糖を分解生成し、さらに、有機物は良質な各種アミノ酸、ビタミン、核酸、ミネラル、ホルモン、脂肪酸等へ分解生成する。
【００５１】
サッカロミセス属の酵母の酵母菌は黒糖水溶液中では添加量の５００倍以上にも増殖するので、黒糖水溶液へのサッカロミセス属の酵母の添加量は、３０〜４０質量％黒糖水溶液１００質量部に対し、１〜３質量部とするのが好ましい。この１〜３質量部のサッカロミセス属の酵母の添加量に対し、黒糖水溶液における黒糖添加量が３０質量％未満であると、発酵期間が短すぎ、黒糖水溶液への黒糖添加量が４０質量％を超えると、全体が発酵するのに時間がかかりすぎる。３質量部を超えてサッカロミセス属の酵母を添加しても、特に発酵効率が高まることはなく、コストアップの要因になるのみである。
【００５２】
（ｄ）の工程において、サッカロミセス属の酵母によって発酵状態にある黒糖水溶液に、トマトの糖度向上に直接的に寄与するレバウディオサイドＡを黒糖水溶液１００質量部に対し２〜４質量部加える。
【００５３】
（ｂ）の工程で加えるサッカロミセス属の酵母としてパン発酵酵母、ビール酵母及びワイン酵母のいずれかを用いる場合、生きた酵母菌を増殖させるために、乾燥させずに酵母成分を抽出した酵母エキスが好ましい。
【００５４】
（ｂ）の工程において、黒糖水溶液１００体積部に対し、パパイヤ、パイナップル、マンゴー、メロン、いちじく、及びキウイフルーツ含む果実のそれぞれを搾汁して得られたプロテアーゼ活性果汁のうちの少なくとも１種以上を５〜１０体積部さらに加えることが好ましい。
【００５５】
プロテアーゼは、たんぱく質を加水分解し、ペプチドというアミノ酸がいくつかつながったものに変える働きを持つ酵素であり、サッカロミセス属の酵母の発酵を促進する作用がある。パパイヤにはパパイン、パイナップルにはブロメリンといったように、それぞれ異なるプロテアーゼが豊富に含まれるが、活性温度の観点から、パパイヤ、パイナップル、マンゴー、メロンの果汁が好ましい。
【００５６】
本発明の第２実施形態においては、さらに工程（ｅ）として、サッカロミセス属の酵母が発酵している期間内に、黒糖水溶液１００体積部に対し、イワシ、マグロ、カツオ、アジ、及びサバの魚エキスのうちの少なくとも１種以上を３０〜６０体積部加える工程と、を含むことが好ましい。
【００５７】
本発明の第２実施形態においては、さらに工程（ｆ）として、サッカロミセス属の酵母が発酵している期間内に、黒糖水溶液１００質量部に対し、トマトの新葉２０〜３０質量部を添加して混合してろ過する工程と、を含むことが好ましい。
【００５８】
トマトの新葉には、糖分、有機酸、ホルモン、ビタミン、酵素等の植物活性物質が含まれ、また、強い殺菌力、制菌力を持つ活性素も含まれるので、土壌に散布または添加された希釈液肥に含まれるトマトの新葉の成分は、トマトの生育、収量、品質を高め、また、土壌中の悪玉の細菌や微生物の繁殖を阻止する作用をする。
【００５９】
本発明の第２実施形態における、黒糖、サッカロミセス属の酵母、魚エキス、プロテアーゼ活性果汁、及びトマト新葉等の材料、添加量等は、本発明の第１の実施形態で用いたものと同様である。
【００６０】
（第３実施形態）
本発明の第３実施形態におけるトマトの糖度向上液肥の使用方法は、さらに、（ｇ）として、（ｄ）、（ｅ）、（ｆ）のいずれかの工程によって得られたトマトの糖度向上液肥を原液とし、その原液のサッカロミセス属の酵母が発酵している期間内にその原液を水で５００〜１０００倍に希釈して希釈液肥を得る工程と、（ｈ）その希釈液肥のサッカロミセス属の酵母が発酵している期間内に、その希釈液肥をトマトの苗を定植した容器内の培地に散布または添加する工程とを含む。
【００６１】
この希釈液肥をトマトの苗を定植した容器内の培地に散布または添加する工程により、レバウディオサイドＡ、並びに、サッカロミセス属の酵母の作用で分解生成した、黒糖由来の良質な各種アミノ酸、ビタミン、核酸、ミネラル、ホルモン、及び脂肪酸等は、すべてトマトの毛細根から効率よく吸収され、好ましい糖度、及び優れた風味を有するトマトを生育させることができる。
【００６２】
希釈液肥のサッカロミセス属の酵母の発酵が進行している期間内に、その希釈液肥を土壌に散布または添加するのは、サッカロミセス属の酵母の発酵が止まってサッカロミセス属の酵母の酵母菌が死滅した状態では、土壌中の細菌や微生物に対しての働きかけがなくなるからである。
【実施例】
【００６３】
同じ種からのミニトマトの苗を栽培して、１段花房と６段果房収穫したミニトマト各１０個の糖度を測定し、実施例１〜９と参考例１とを比較した。実施例１〜５は、プランタに培地として堆肥又はピートモス＋２０質量％軽石を充填し、５００倍希釈液肥、１０００倍希釈液肥又は水のいずれかを散布してミニトマトを栽培した。実施例６は、堆肥土壌で５００倍希釈液肥を散布してミニトマトを土耕栽培した。実施例７，８は、プランタに培地としてピートモス＋２０質量％軽石を充填し、５００倍希釈液肥または水を散布してミニトマトを連作した。実施例９は、堆肥土壌で５００倍希釈液肥を散布してミニトマトを土耕栽培で連作した。参考例１は、液肥も水も散布せずに、堆肥土壌でミニトマトを土耕栽培した。
【００６４】
（実施例１）
内寸法が巾２５ｃｍ、長さ６０ｃｍ、深さ２０ｃｍのプランタに培地として１５ｃｍの深さに堆肥を入れ、ミニトマトの種から別途容器栽培したミニトマトの苗を、巾の中央部に４本、１３ｃｍ等間隔に定植した。  
【００６５】
１リットルの水に黒糖６００ｇを加えて３７．５質量％黒糖水溶液を調製し、これに、ビール酵母エキスを３０ｇ添加して混合し、室温で撹拌しながらビール酵母を発酵させて発酵黒糖水溶液を得た。予備試作から、撹拌開始後約１週間でビール酵母は発酵を開始し、発酵は約２週間継続することがわかった。
【００６６】
ビール酵母の発酵が開始したら、その発酵黒糖水溶液に市販のレバウディオサイドＡを５０ｇ加え、トマトの糖度向上液肥原液とした。そのトマトの糖度向上液肥原液を水で５００倍に希釈し、トマトの糖度向上希釈液肥を得た。
【００６７】
そのトマトの糖度向上希釈液肥を、ビール酵母の発酵が持続している１４日間にわたって、１リットル／回・日プランタ内の堆肥培地の表面に均一に散布した。
【００６８】
同様のトマトの糖度向上希釈液肥の新規の調製と散布を１４日周期で繰り返し、  
ミニトマトを収穫した。
【００６９】
６段花房からの収穫開始時に１段花房と６段花房から各約１０個ずつ収穫したミニトマトの糖度を市販の糖度計で測定した。  
【００７０】
（実施例２）
トマトの糖度向上液肥原液を水で１０００倍に希釈し、トマトの糖度向上希釈液肥を得たこと以外は実施例１と同様の方法でミニトマトを栽培し、実施例１と同様に収穫したミニトマトの糖度を測定した。
【００７１】
（実施例３）
堆肥の代りに培地にピートモス＋２０質量％軽石を用いたこと以外は、実施例１と同様の方法でミニトマトを栽培し、実施例１と同様に収穫したミニトマトの糖度を測定した。
【００７２】
（実施例４）
堆肥の代りに培地にピートモス＋２０質量％軽石を用いたこと以外は、実施例２と同様の方法でミニトマトを栽培し、実施例１と同様に収穫したミニトマトの糖度を測定した。
【００７３】
（実施例５）
希釈液肥のかわりに、水のみ１回／日、２０ミリリットル／回、ピートモス＋２０質量％軽石培地表面に均一に散布したこと以外は実施例３と同様の方法でミニトマトを栽培し、実施例１と同様に収穫したミニトマトの糖度を測定した。
【００７４】
（実施例６）
実施例１と同様に別途容器栽培したミニトマトの苗を、土耕栽培の堆肥土壌に４本、１３ｃｍ等間隔に定植し、実施例１と同様の５００倍希釈液肥を苗の周囲の土壌表面に１リットル／回・日均一に散布して、実施例１と同様にミニトマトの糖度を測定した。
【００７５】
（実施例７）
実施例３の方法でミニトマトを栽培し、苗の定植後４ヶ月目に、ピートモス培地はそのままで新しい苗に植え替えて連作を行った。同様に４ヶ月毎の連作を繰り返したところ、６連作目においても根腐れ等の異常は全く見られなかった。６連作目に、実施例１と同様に収穫したミニトマトの糖度を測定した。
【００７６】
（実施例８）
実施例５の方法で水のみを２０ミリリットル/回・日散布してミニトマトを栽培し、苗の定植後４ヶ月目に、ピートモス＋２０質量％軽石培地はそのままで新しい苗に植え替えて連作を行ったが、根腐れが生じてミニトマトの収穫はできなかった。
【００７７】
（実施例９）
実施例６の方法でミニトマトを栽培し、苗の定植後４ヶ月目に、土耕の堆肥土壌はそのままで新しい苗に植え替えて連作を行ったが、実施例３に比べて２０倍の量の５００倍希釈液肥を散布したにもかかわらず、根腐れが生じてミニトマトの収穫はできなかった。
【００７８】
（参考例１）
実施例６と同様の方法で土耕栽培の堆肥土壌に定植したミニトマトの苗を水も肥料も与えずに栽培し、実施例１と同様に収穫したミニトマトの糖度を測定した。
【００７９】
【表１】
0005487508.tif 000002
【００８０】
表１に、実施例１−９と参考例１の糖度測定結果を比較して示したように、以下のことが明らかとなった。
（い）内寸法が巾２５ｃｍ、長さ６０ｃｍ、深さ２０ｃｍのプランタに培地として充填した１５ｃｍの深さの堆肥又はピートモス＋２０質量％軽石表面に、水で５００倍又は１０００倍に希釈した本発明のトマトの糖度向上希釈液肥を１リットル／回・日均一に散布することにより、収穫したミニトマトに顕著な糖度向上効果が見られ、また風味も優れていた。糖度の向上は、レバウディオサイドＡの吸収によるものであり、優れた風味は、希釈液肥に含まれるビール酵母の酵母菌の作用で分解精製した各種アミノ酸、ビタミン、核酸、ミネラル、ホルモン、脂肪酸等の吸収によるものである。
（ろ）プランタに充填した培地がピートモス＋２０質量％軽石の場合でも、水のみ２０ミリリットル／回・日散布しても、収穫したミニトマトに糖度向上は見られなかった。
（は）土耕の堆肥土壌に、水で５００倍に希釈した本発明のトマトの糖度向上希釈液肥を２０リットル／回・日散布しても、収穫したミニトマトの糖度向上効果はわずかであった。
（に）プランタに培地としてピートモス＋２０質量％軽石を入れて、水で５００倍に希釈した本発明のトマトの糖度向上希釈液肥を１リットル／回・日均一に散布することによってミニトマトを栽培し、苗の定植後４ヶ月目に、ピートモス＋２０質量％軽石培地は入れ替えずそのままで、苗を新しい苗に植え替えて連作を行うことを繰り返したところ、６連作目においても根腐れ等の異常は全く見られなかった。また、６連作目に、収穫したミニトマトの糖度は、１段花房から収穫したミニトマトで８〜１０、６段花房から収穫したミニトマトで９〜１３であり、初回栽培で収穫したミニトマトと同様の糖度であったので、さらに連作を続けることは可能である。ミニトマトの苗の発育は、６連作目の栽培においても全く問題がなく健全であり、希釈液中のビール酵母菌の増殖よる倍地中の悪玉菌の殺菌、制菌作用が強力であることが確認された。
（ほ）土耕栽培の堆肥土壌に、水で５００倍に希釈した本発明のトマトの糖度向上希釈液肥を２０リットル／回・日散布してミニトマトを栽培しても、液肥が拡散して薄まってしまうため、収穫したミニトマトの糖度向上はわずかであった。また、同じ土壌で連作もできなかった。土耕栽培の場合には、悪玉菌が数多く存在するのに対し、堆肥土壌中を液肥が拡散してミニトマトの苗の周りは液肥が薄くなるため、希釈液中の増殖したビール酵母菌による堆肥土壌中の悪玉菌の殺菌、制菌作用が弱まるためである。
【００８１】
上記の実施例は、サッカロミセス属の酵母としてビール酵母を用いた場合について例示したが、サッカロミセス・セレビシエ、サッカロミセス・バヤヌス、サッカロミセス・カールスベルゲンシス、サッカロミセス・パストリアヌス、サッカロミセス・サケ、サッカロミセス・エリプソイディウスの群から選ばれる１つまたは複数の酵母を用いても同様の効果が得られることは言うまでもない。
【００８２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【産業上の利用可能性】
【００８３】
本発明に係るトマトの糖度向上液肥は、サッカロミセス属の酵母が発酵している期間内に培地に施肥を繰り返し続けることにより、レバウディオサイドＡの毛細根からの吸収によるトマトの糖度の向上、及びサッカロミセス属の酵母の酵母菌の作用で黒糖から分解精製した各種アミノ酸、ビタミン、核酸、ミネラル、ホルモン、脂肪酸等の毛細根からの吸収による風味の向上を可能にするものであり、さらに増殖したサッカロミセス属の酵母の酵母菌による培地中の悪玉菌の殺菌、制菌作用の効果で、培地を入れ替えることなくトマトの輪作をも可能にするものであり、産業上の利用可能性は極めて大きい。